(57)【特許請求の範囲】
【請求項１】
ロール状に巻かれた被包装物を収納するようになっている略直方体形状の容器本体と、前記容器本体の後面壁に回動可能に連設され、前記容器本体の開口部を覆って閉鎖するようになっている蓋体と、前記蓋体の前面壁の先端縁に設けられ、中央部が両端部よりも前記容器本体の底面側に位置する凸形状となっているカッタとを備える包装用容器において、
使用者の一方の手における親指の先端部を受け入れるよう前記蓋体の前記前面壁の中央部に形成された第１の凹部と、
使用者の親指の第１関節部ないしはその近傍部分を受け入れるよう、前記蓋体の前記前面壁と前記蓋体の頂面壁とが交わる角部の中央部に形成された第２の凹部と
を有することを特徴とする包装用容器。
【請求項２】
使用者の前記一方の手における掌を受け入れるよう、前記蓋体の頂面壁と前記容器本体の前記後面壁とが交わる角部の中央部に形成された第３の凹部を有することを特徴とする請求項１に記載の包装用容器。
【請求項３】
使用者の前記一方の手における人差し指、中指、薬指及び小指を受け入れるよう、前記容器本体の前記後面壁と前記容器本体の底面壁とが交わる角部の中央部に形成された第４の凹部を有することを特徴とする請求項１又は２に記載の包装用容器。
【発明の詳細な説明】
【０００１】
【発明の属する技術分野】
本発明は、食品包装等に用いられるロール状のラップフィルムやアルミニウム箔、クッキングシート等を包装するための包装用容器に関するものである。
【０００２】
【従来の技術】
従来から種々の型式のラップフィルム用の容器が知られているが、その多くは、ロール状に巻かれたラップフィルムを収納する容器本体と、この容器本体に一体的に設けられた蓋体とから構成されている。また、容器本体の底面壁或いは蓋体の前面壁には、容器から引き出されたラップフィルムを切断するために、直線状のカッタが取り付けられている。
【０００３】
このようなラップフィルム用容器においては、カッタが直線状であるため、ラップフィルムを切断する際に容器又はラップフィルムを大きく動かす必要があり、操作性の面で問題があった。
【０００４】
このため、従来においては、蓋体の前面壁に取り付けられるカッタの形状を凸形状ないしは略Ｖ字状としたものが開発されている（特公平４−１９０９２号）。カッタを略Ｖ字状とした結果、容器を前側（カッタの刃先方向）に捻るだけで、ラップフィルムを切断することが可能となり、操作性が格段に向上することとなった。
【０００５】
【発明が解決しようとする課題】
しかしながら、実際には、Ｖ字状カッタ付きの容器であっても、直線状カッタ付き容器と同様な使用方法、すなわち容器の一端側を上下に動かしたり、容器は固定したままラップフィルムを引き上げたりする方法をとる使用者も少なくない。そのような使用方法では、Ｖ字状カッタの優れた機能も無駄となってしまう。
【０００６】
従って、本発明の目的は、Ｖ字状カッタ付きの容器を正しい方法で使用させる手段を提供することにある。
【０００７】
【課題を解決するための手段】
Ｖ字状カッタ付き容器の場合、ラップフィルムを切断するには、容器を前側に回すこと、及び、蓋体の前面壁の中央部を押えることが必要となるため、容器の中央部を把持すると共に、把持した手の親指を蓋体の前面壁の中央部に配置することが操作の面で最も有効となる（図１の二点鎖線で示す左手を参照）。本願発明者らは、この点に鑑み、握り方を矯正すれば、容器を正しく使用でき或いはその使用方法をマスターする切っ掛けとなり得るであろうとの結論を見出した。
【０００８】
そこで、本発明は、ロール状に巻かれたラップフィルム等の被包装物を収納するようになっている略直方体形状の容器本体と、この容器本体の後面壁に回動可能に連設され、容器本体の開口部を覆って閉鎖するようになっている蓋体と、蓋体の前面壁の先端縁に設けられ、中央部が両端部よりも容器本体の底面側に位置する凸形状ないしは略Ｖ字状となっているカッタとを備える包装用容器において、所望の位置に使用者の手を配置するための凹部を少なくとも１つ形成したことを特徴としている。
【０００９】
凹部としては、親指の先端部を受け入れるよう蓋体の前面壁の中央部に形成されたものが好適である。
【００１０】
また、凹部は、親指の第１関節部ないしはその近傍部分を受け入れるよう、蓋体の前面壁と蓋体の頂面壁とが交わる角部の中央部に形成されたものであってもよい。
【００１１】
更に、掌を受け入れるような凹部を、蓋体の頂面壁と容器本体の後面壁とが交わる角部の中央部に形成しても、使用者の手を適正な位置に誘導することは可能となる。
【００１２】
同様に、人差し指、中指、薬指及び小指を受け入れる凹部を、容器本体の後面壁と容器本体の底面壁とが交わる角部の中央部に形成してもよい。
【００１３】
また、本発明は、角部に凹部が形成される包装用容器を、所定の型に裁断された厚紙を折り曲げて製造する方法において、凹部が形成される部分の折り目線を二重とすることを特徴としている。別言するならば、凹部が形成される部分を、等間隔に分岐した２本の折り目線で区画したことを特徴としている。このように、折り目線を二重した場合、折り目線の両側の部分を９０度折り曲げるだけで、二重の折り目線により囲まれる部分は、両側の部分に対して約４５度の角度をなし、角部上にて凹部として形成される。
【００１４】
【発明の実施の形態】
以下、図面を参照して本発明の好適な実施形態について詳細に説明する。なお、図中、同一又は相当部分には同一符号を付することとする。
【００１５】
図１は、ロール状ラップフィルムを被包装物として包装するための本発明に従った容器１０を示す斜視図であり、図２は図１のII−II線に沿っての断面図である。この容器１０は、１枚の厚紙、好ましくは坪量２７０〜６００ｇ／ｍ2のコートボール紙から作られている。
【００１６】
図示するように、容器１０は、円筒状のペーパーコア１２にロール状に巻き付けられたラップフィルム１４を収納するための直方体形状の容器本体１６と、この容器本体１６に一体的に設けられた蓋体１８とから構成されている。
【００１７】
容器本体１６は、矩形の底面壁２０と、この底面壁２０の各長縁部から垂直上方に延びる前面壁２２及び後面壁２４と、底面壁２０の各短縁部から垂直上方に延び且つ前面壁２２及び後面壁２４の対向端部間を連結する側面壁２６とを備えている。また、容器本体１６の上部は、ラップフィルム１４を引き出すための開口部２８として開放されている。
【００１８】
蓋体１８は、容器本体１６の後面壁２４の頂縁部から連続して延び且つ容器本体１６の開口部２８を実質的に覆う矩形の頂面壁３０と、この頂面壁３０の各短縁部から垂直に容器本体１６側に延びる蓋体側面壁３２と、頂面壁３０の前側の長縁部から垂直に延び且つ側面壁３２の前側端部間を連結する蓋体前面壁３４とを備えている。蓋体１８の頂面壁３０により容器本体１６の開口部２８を閉じた場合、蓋体前面壁３４及び蓋体側面壁３２はそれぞれ容器本体１６の前面壁２２及び側面壁２６の外面上に重なり合うようになっている。
【００１９】
また、蓋体前面壁３４の先端縁の内面には、引き出されたラップフィルム１４を切断するためのカッタ３６が取り付けられている。蓋体前面壁３４の先端縁は、中央部が両端部よりも底面壁２０の側に位置するような凸形状ないしは略Ｖ字状となっており、カッタ３６もその形状に合わせて略Ｖ字状となっている。
【００２０】
このような構成の本発明によるＶ字状カッタ付き容器１０は、更に、蓋体前面壁３４の中央部に、親指の先端部の腹を模した形状の凹部３８を備えている。
【００２１】
また、蓋体１８の頂面壁３０と前面壁３４とが交わる角部４０の中央部にも凹部４２が形成されている。この凹部４２は、底面が頂面壁３０及び前面壁３４のそれぞれに対して約４５度の角度をなすような形で形成されたものであり、その長さ（容器１０の長手方向に沿っての長さ）は親指の第１関節部ないしはその周辺部分を受け入れることができる程度、好ましくは２〜４ｃｍとなっている。また、凹部４２の深さ関しては、内部に収容されるラップフィルム１４と干渉しない範囲で、適宜定めることができる。
【００２２】
蓋体１８の頂面壁３０と容器本体１６の後面壁２４とが交わる角部４４の中央部、及び、容器本体１６の後面壁２４及び底面壁２０とが交わる角部４６の中央部にも、同様な凹部４８，５０が形成されている。凹部４８の長さは、掌を受け入れることができる長さ、好ましくは１０〜１５ｃｍとされている。また、凹部５０については、人差し指、中指、薬指及び小指を揃えた状態でこれらの指を受け入れることができる長さ、好ましくは７〜１２ｃｍとされている。
【００２３】
このような容器１０においては、蓋体前面壁３４の凹部３８が親指の形状となっているため、使用者は、使用に際してはまず、凹部３８に親指の先端部を配置することとなろう。なお、目の不自由な者も容易に親指を凹部３８に配置できるように、凹部３８の底面に複数の小突起５２を設けることが好適である。
【００２４】
使用者が凹部３８に親指の先端部を置いた場合、角部４０，４４，４６に形成された凹部４２，４８，５０の存在により、親指の第１関節、掌及び親指以外の指を順に凹部４２、凹部４８、凹部５０に配置していくこととなる。この時の手の位置状態が、図１において二点鎖線で示した左手の状態であり、Ｖ字状カッタ付き容器１０の使用に最も適した手の形である。すなわち、容器１０から引き出したラップフィルム１４を切断する際、手が図１の位置にあると、容器１０を矢印Ａ方向に捻るという適正動作を行いやすく、その際に必要な力及び動作量も極めて小さくて済む。また、凹部４２，４８，５０はそれぞれ対応の角部４０，４４，４６を丸める役割を果たすため、使用者が容器１０を把持しやすいという効果もある。
【００２５】
このように、容器１０に凹部３８，４２，４８，５０を形成することで手を適正位置に誘導することが可能となり、使用者は自然に容器１０を正しく使用することとなる。また、使用方法を知らない使用者にとっても、凹部３８，４２，４８，５０の形状や配列から手を置くべき位置を知ることができ、手を適正位置に配置することを切っ掛けにして、容器１０の正しい使用方法をマスターすることが可能となる。
【００２６】
次に、上記容器１０の製造方法を、その展開図である図３に沿って説明する。
【００２７】
容器１０の製造に際しては、まず、図３に示すような型にコートボール紙等の厚紙を裁断する。この図３において、部分２０，２４はそれぞれ容器本体１６の底面壁２０、後面壁２４を構成し、部分２２ａ、更にこの部分２２ａに続く部分２２ｂは前面壁２２を構成する。また、部分２６ａ，２６ｂ，２６ｃは、容器本体１６の側面壁２６を構成する。一方、部分２４から続く部分３０は蓋体１８の頂面壁３０となり、更に部分３４は蓋体前面壁３４を構成する。また、部分３２ａ，３２ｂは、蓋体側面壁２４を構成するものである。なお、図示しないが、蓋体前面壁３０には略Ｖ字状のカッタが予め取り付けられている。
【００２８】
厚紙の裁断後、又は、裁断と同時に、隣合う部分間に、プレス加工により裏面側に突出する折り目線４０，４４，４６，６０〜６６を形成する。図３からも理解されるように、折り目線４０，４４，４６については、中央部が２重の折り目線４０ａ，４０ｂ；４４ａ，４４ｂ；４６ａ，４６ｂになっている。この二重の折り目線４０ａ，４０ｂ；４４ａ，４４ｂ；４６ａ，４６ｂで囲まれる部分４２，４８，５０が、それぞれ、凹部４２，４８，５０となるものである。なお、折り目線の形成の際、同時に、部分３４の中央部に親指形状の凹部３８も形成するのが好適である。
【００２９】
この後、部分２４及び部分２２ａを、それぞれ、折り目線４６，６１で部分２０に対して約９０度折り曲げ、また、部分２２ｂを折り目線６０で部分２２ａに対して約１８０度折り返す。そして、部分２２ａと部分２２ｂを接着剤で互いに接着する。また、部分２６ａ，２６ｂ，２６ｃを折り目線６３，６２，６４で約９０度折り曲げ、容器本体１６の内側から部分２６ｃ、部分２６ｂ、部分２６ａの順で配列すると共に、互いに接着剤により接着する。更に、部分３４を折り目線４０で部分３０に対して約９０度折り曲げる。また、部分３２ａ，３２ｂを折り目線６５，６６で約９０度折り曲げ、部分３２ｂを内側にした状態で互いに接着する。
【００３０】
このような折曲げ加工の際、折り目線４０，４４，４６を折り曲げると、二重の折り目線４０ａ，４０ｂ；４４ａ，４４ｂ；４６ａ，４６ｂで囲まれる部分は、折曲げと同時に図１及び図２に示す形となり、前記の凹部４２，４８，５０を形成することとなる。
【００３１】
なお、部分３４にはミシン目６８を介して部分７０が設けられているが、この部分７０は、開封前にあっては部分２２ａの接着ポイント７２に接着されており、蓋体１８が容器本体１６に固定されるようにしている。また、使用に際しては、この部分７０はミシン目６８に沿って部分３４から切り離されると共に、接着ポイント７２から剥がされる。これによって、蓋体１８を回動することが可能となり、ラップフィルム１４を容器本体１６内から引き出すことが可能となる。
【００３２】
以上、本発明の好適な実施形態について詳細に説明したが、本発明は上記実施形態に限定されないことはいうまでもない。例えば、上記実施形態では凹部は４箇所に設けられているが、手を所定の位置に誘導できれば、その数は幾つであってもよい。同様に、凹部の形状についても上記実施形態に限られない。
【００３３】
また、上記実施形態における容器はラップフィルム用であるが、その他の被包装物、例えばアルミニウム泊やクッキングシート等を包装する容器にも適用可能なことは当業者ならば容易に理解されよう。
【００３４】
【発明の効果】
以上述べたように、本発明によれば、Ｖ字状カッタ付き容器を把持する使用者の手を所定の位置に誘導することができ、当該容器を最適な状態で使用することを可能とする。また、手の位置を定めることで、容器の使用方法のマスター或いは周知徹底の一助とすることができる。
【００３５】
更に、容器の角部に凹部を形成する場合、当該凹部は角部の角度を減ずることになるので、使用者が容器を握った時の感覚を良好なものとすることができる。
【００３６】
また、本発明の製造方法によれば、折り目線に沿って厚紙を折り曲げるだけで凹部を角部に形成することができる。従って、凹部を形成するための特別な装置が不要であり、本発明による包装用容器を容易に製造することが可能となる。
【図面の簡単な説明】
【図１】本発明による包装用容器の一実施例を示す斜視図である。
【図２】図１のII−II線に沿っての断面図である。
【図３】図１の容器の展開図である。
【符号の説明】
１０…包装用容器、１２…コア、１４…ラップフィルム、１６…容器本体、１８…蓋体、２０…底面壁、２２…前面壁、２４…後面壁、２６…側面壁、２８…開口部、３０…頂面壁、３２…蓋体側面壁、３４…蓋体前面壁、３６…カッタ、３８…親指形状の凹部、４０，４４，４６…角部（折り目線）、４０ａ，４０ｂ，４４ａ，４４ｂ，４６ａ，４６ｂ…二重の折り目線、４２，４８，５０…凹部、５２…小突起、６０〜６６…折り目線。
【図１】
0003827761.tif 000002
【図２】
0003827761.tif 000003
【図３】
0003827761.tif 000004